(57)【特許請求の範囲】
【請求項１】
上端部にフランジ部を有する有底筒状の缶体と、前記缶体に被冠された缶蓋とを備え、
前記缶蓋は、外周端部に、前記フランジ部から間隔を存し、且つ、外周端が前記フランジ部の先端縁より内方に位置するように巻き込んだ環状のカール部を有し、
前記カール部は、前記缶体に対して前記缶蓋が上方に移動して前記カール部の先端部が前記フランジ部に当接したときに、前記フランジ部と前記缶蓋の前記外周端部との間に間隙を形成して前記缶体の内部と外部とを通気自在にする通気部を有し、
前記カール部は、前記フランジ部の上方及び側方で、全周に亘って巻き込まれ、
前記通気部は、前記フランジ部の下方における巻き込み量が該通気部以外の部分における該巻き込み量よりも小さく、側面視で直線となる直線部と、前記直線部の周方向両側に形成され、側面視で前記直線部に近づくほど該巻き込み量が小さく形成された一対の傾斜部とを有していることを特徴とする脱気缶。
【請求項２】
請求項１に記載の脱気缶であって、
前記カール部は、前記フランジ部の上方及び側方で、全周に亘って均一に巻き込まれていることを特徴とする脱気缶。
【請求項３】
請求項１又は請求項２に記載の脱気缶であって、
前記カール部の周方向における前記直線部の長さは、前記カール部の周方向における前記傾斜部の一方の長さよりも長いことを特徴とする脱気缶。
【請求項４】
請求項１〜請求項３のいずれか１項に記載の脱気缶であって、
前記直線部は、前記フランジ部の上方及び側方でのみ巻き込まれていることを特徴とする脱気缶。
【請求項５】
請求項１〜請求項４のいずれか１項に記載の脱気缶であって、
前記カール部は、複数の通気部を有し、
隣接する前記通気部同士の間隔が、等しいことを特徴とする脱気缶。
【請求項６】
上端部にフランジ部を有する有底筒状の缶体に缶蓋を被冠する被冠工程と、
クリンチャーセグメントに形成された溝に、前記缶蓋を被冠した前記缶体を圧接転動させて、前記缶蓋の外周端部を前記フランジ部から間隔を存し、且つ、前記缶蓋の外周端が前記フランジ部の先端縁より内方に位置するように巻き込んでカール部を形成して、前記缶体に前記缶蓋を仮止めする仮止め工程とを備え、
前記カール部は、前記缶体に対して前記缶蓋が上方に移動して前記カール部の先端部が前記フランジ部に当接したときに、前記フランジ部と前記缶蓋の前記外周端部との間に間隙を形成して前記缶体の内部と外部とを通気自在にする通気部を有し、
前記通気部は、前記フランジ部の下方における巻き込み量が該通気部以外の部分における該巻き込み量よりも小さく、側面視で直線となる直線部と、前記直線部の周方向両側に形成され、側面視で前記直線部に近づくほど該巻き込み量が小さく形成された一対の傾斜部とを有し、
前記仮止め工程は、前記フランジ部の上方及び側方では、前記缶蓋の外周端部を、全周に亘って巻き込み、前記フランジ部の下方では、前記缶蓋の外周端部を、前記通気部の前記直線部における巻き込み量が前記通気部以外の部分における巻き込み量よりも小さくなるように巻き込むとともに、前記直線部の前記傾斜部の巻き込み量が前記直線部に近づくほど小さくなるように巻き込んで、前記カール部を形成することを特徴とする脱気缶製造方法。
【発明の詳細な説明】
【技術分野】
【０００１】
本発明は、缶詰の内容物の保存効果を高めるために缶内部の脱気が行われる脱気缶及び脱気缶製造方法に関する。
【背景技術】
【０００２】
従来、缶詰製品、特に魚肉や惣菜等を内容物とする食缶としては、缶内部を真空として内容物の保存効果を高めるために、缶体に缶蓋を仮止めした脱気缶を形成し、次いで巻締を行なう方法で製造されてきた。
【０００３】
この種の脱気缶は、内容物が充填された缶体に缶蓋を被冠し、弧状のクリンチャーセグメント等を用いて、缶体に缶蓋を仮止めして形成される。その後、その脱気缶は、バキュームシーマーによって缶内部を脱気して缶蓋の巻締が行われる。
【０００４】
図８に示すように、従来用いられているクリンチャーセグメント１００では、その内周側の側面に形成されたカール部形成溝１０１に、缶蓋を被冠した缶体を圧接転動させた際に、缶蓋の外周端部に、缶体の上端縁に形成されているフランジ部から間隙を存してフランジ部の先端縁より内方に向かって断面略円弧形状に巻き込んだカール部を形成する。
【０００５】
クリンチャーセグメント１００では、カール部形成溝１０１の途中に、カール部形成溝１０１よりも上方及び側方において深く削られ、下方を切り落とされたような形状の切欠き部１０２が形成されている。そのため、クリンチャーセグメント１００を用いて形成された脱気缶には、巻き締めの行われていない通気部が形成される。
【０００６】
カール部が形成されることによって、缶蓋は、缶体に固着されることなく、カール部によりフランジ部に緩く掛止され、仮止めされた状態とされる。このように缶蓋が仮止めされた缶体は、バキュームシーマーに備えられた真空室内に収容され、通気部から缶体内部の空気が吸引されて脱気された状態で最終的な巻き締めが行われる（例えば、特許文献１参照。）。
【０００７】
このように、従来の脱気缶では、脱気缶の形成時に缶蓋の外周端部の一部において巻き締めを行わないことによって通気部が形成されている。
【先行技術文献】
【特許文献】
【０００８】
【特許文献１】特開２００３−１２６９３２号公報
【発明の概要】
【発明が解決しようとする課題】
【０００９】
しかし、特許文献１に記載のような従来の脱気缶では、通気部から缶体内部の空気が吸引されて脱気された状態で最終的な巻き締めが行われる際には、脱気缶の製造工程で巻き締めを行わずに形成された通気部における巻き込み量と、巻き締めが行われている通気部以外の領域における巻き込み量とが異なることになる。
【００１０】
その結果、従来の脱気缶では、最終的な巻き締めを行った後に、通気部が形成されていた領域に痕跡が残り、その領域は所望の寸法とならず、外観が損なわれるおそれがあった。
【００１１】
特に、近年用いられているアルミニウム製の缶蓋は、従来用いられているスチール製の缶蓋よりも変形の痕跡が残り易いため、外観が損なわれやすくなっていた。
【００１２】
また、従来の脱気缶では、外観の美観をある程度確保するために、通気部を缶体の周方向において小さく形成していた。しかし、巻き締め装置の巻き締め工程の作業速度の向上や充填物の多様化に伴って、通気部を小さく形成した場合には、脱気時に内容物による目詰まりが生じてしまうおそれがあった。
【００１３】
本発明は、以上の点に鑑みてなされたものであり、最終的な巻き締めを行っても外観が損なわれにくく、且つ、脱気時の目詰まりが生じにくい脱気缶及び脱気缶製造方法を提供することを目的とする。
【課題を解決するための手段】
【００１４】
上記目的を達成するために、本発明の脱気缶は、上端部にフランジ部を有する有底筒状の缶体と、缶体に被冠された缶蓋とを備え、缶蓋は、外周端部に、フランジ部から間隔を存し、且つ、外周端がフランジ部の先端縁より内方に位置するように巻き込んだ環状のカール部を有し、カール部は、缶体に対して缶蓋が上方に移動してカール部の先端部がフランジ部に当接したときに、フランジ部と缶蓋の外周端部との間に間隙を形成して缶体の内部と外部とを通気自在にする通気部を有し、カール部は、フランジ部の上方及び側方で、全周に亘って巻き込まれ、通気部は、フランジ部の下方における巻き込み量がその通気部以外の部分におけるその巻き込み量よりも小さく、側面視で直線となる直線部と、直線部の周方向両側に形成され、側面視で直線部に近づくほどその巻き込み量が小さく形成された一対の傾斜部とを有していることを特徴とする。
【００１５】
本発明の脱気缶では、フランジ部の上方及び側方において、カール部に対して、通気部の形成されている部分も含めて全周に亘って巻き込みを行っている。すなわち、缶体に対する缶蓋の仮止め工程の段階で、通気部の形成された領域においてもある程度の巻き込みを行っている。その結果として、本発明の脱気缶は、従来の脱気缶よりも、最終的な巻き込みを行った際の通気部における巻き込み量と通気部以外の領域における巻き込み量が近い量となる。
【００１６】
そのため、本発明の脱気缶によれば、通気部から缶体内部の空気が吸引されて脱気された状態で最終的な巻き締めを行った際にも、通気部が形成されていた領域に痕跡が残りにくく、所望の寸法が得やすく、外観が損なわれにくい。
【００１７】
さらに、本発明の脱気缶によれば、外観を維持しつつ、通気部を大きくすることができるので、従来の脱気缶よりも、脱気時における目詰まりが生じにくい。
【００１８】
また、本発明の脱気缶においては、カール部は、フランジ部の上方及び側方で、全周に亘って均一に巻き込まれていることが好ましい。
【００１９】
フランジ部の上方及び側方におけるカール部の巻き込み量を均一にすれば、フランジ部の上方及び側方において凹凸が形成されないため、従来の脱気缶よりも、さらに外観が良くなる。
【００２０】
また、本発明の脱気缶としては、カール部の周方向における直線部の長さは、カール部の周方向における傾斜部の一方の長さよりも長くなるように構成してもよい。
【００２１】
また、本発明の脱気缶としては、直線部は、フランジ部の上方及び側方でのみ巻き込まれているように構成してもよい。
【００２２】
また、本発明の脱気缶においては、カール部は、複数の通気部を有し、隣接する通気部同士の間隔が、等しいことが好ましい。
【００２３】
本発明の脱気缶は、フランジ部の上方及び側方において、カール部に対して、通気部の形成されている部分も含めて全周に亘って均一に巻き込みを行っている。そのため、本発明の脱気缶は、従来の脱気缶とは異なり、通気部を周方向のいずれの位置に設けても、十分に缶蓋と缶体とを固定しやすい。
【００２４】
そのため、複数の通気部を等間隔に設けるようにすれば、脱気時に脱気缶が傾いて一つの通気部に詰まりが生じてしまったとしても、他の通気部から脱気を行うことができるので、脱気性能を安定させることができるようになる。
【００２５】
また、上記目的を達成するために、本発明の脱気缶製造方法は、上端部にフランジ部を有する有底筒状の缶体に缶蓋を被冠する被冠工程と、クリンチャーセグメントに形成された溝に、缶蓋を被冠した缶体を圧接転動させて、缶蓋の外周端部をフランジ部から間隔を存し、且つ、缶蓋の外周端がフランジ部の先端縁より内方に位置するように巻き込んでカール部を形成して、缶体に缶蓋を仮止めする仮止め工程とを備え、カール部は、缶体に対して缶蓋が上方に移動してカール部の先端部がフランジ部に当接したときに、フランジ部と缶蓋の外周端部との間に間隙を形成して缶体の内部と外部とを通気自在にする通気部を有し、通気部は、フランジ部の下方における巻き込み量がその通気部以外の部分におけるその巻き込み量よりも小さく、側面視で直線となる直線部と、直線部の周方向両側に形成され、側面視で直線部に近づくほどその巻き込み量が小さく形成された一対の傾斜部とを有し、仮止め工程は、フランジ部の上方及び側方では、缶蓋の外周端部を、全周に亘って巻き込み、フランジ部の下方では、缶蓋の外周端部を、通気部の直線部における巻き込み量が通気部以外の部分における巻き込み量よりも小さくなるように巻き込むとともに、直線部の傾斜部の巻き込み量が直線部に近づくほど小さくなるように巻き込んで、カール部を形成することを特徴とする。
【図面の簡単な説明】
【００２６】
【図１】本実施形態に係る脱気缶の概略構成を示す斜視図。
【図２】図１の脱気缶のカール部及びフランジ部の形状を拡大して示す断面図であり、２Ａは脱気前における通気部以外の部分を示し、２Ｂは脱気時における通気部以外の部分を示し、２Ｃは脱気前における通気部を示し、２Ｄは脱気時における通気部を示す。
【図３】図１の脱気缶の概略構成を示す模式的に示す底面図。
【図４】図１の脱気缶の製造に用いるクリンチャーセグメントの構成を示す斜視図。
【図５】図４のクリンチャーセグメントの平面図。
【図６】図４のクリンチャーセグメントの一部を拡大して示す斜視図。
【図７】図４のクリンチャーセグメントによる図１の脱気缶の形成工程における缶蓋の外周端部の形状の変化を示す断面図であり、７Ａは初期形状（図４のＡ−Ａ線断面図）、７Ｂは通気部以外の形状（図４のＢ−Ｂ線断面図）、７Ｃは通気部の形状（図４のＣ−Ｃ線断面図）を示す。
【図８】従来のクリンチャーセグメントの一部を拡大して示す斜視図。
【発明を実施するための形態】
【００２７】
まず、図１〜図３を参照して、本実施形態の脱気缶１の構成について説明する。
【００２８】
図１に示すように、脱気缶１は、有底筒状の缶体１０と、缶体１０に被冠され、仮止めされた缶蓋１１とを備えている。
【００２９】
缶蓋１１は、外周端部に、缶体１０の上端部に設けられたフランジ部１２から間隔を存して、フランジ部１２の先端縁より内方に向かって巻き込んだ環状のカール部１３を有している。
【００３０】
図２Ａ〜Ｄに示すように、カール部１３の、フランジ部１２の上方及び側方における巻き込み量は、全周に亘って均一となっている。一方で、カール部１３の、フランジ部１２の下方における巻き込み量は、通気部１４が形成された部分（図２Ｃ，２Ｄ）では、通気部１４が形成されていない部分（図２Ａ，２Ｂ）に比べ、小さくなっている。
【００３１】
具体的には、図２Ａと図２Ｃ（又は、図２Ｂと図２Ｄ）から明らかなように、缶体１０のフランジ部１２の上方におけるカール部１３の湾曲の程度（すなわち、上方における巻き込み量）は、通気部１４が形成されていない部分（図２Ａ，２Ｂ）と通気部１４が形成された部分（図２Ｃ，２Ｄ）とにおいて、同一となっている。
【００３２】
また、缶体１０のフランジ部１２の側方（図２においては図面左側）におけるカール部１３の湾曲の程度（すなわち、側方における巻き込み量）は、通気部１４が形成されていない部分（図２Ａ，２Ｂ）と通気部１４が形成された部分（図２Ｃ，２Ｄ）とにおいて、同一となっている。
【００３３】
また、缶体１０のフランジ部１２の下方におけるカール部１３の湾曲の程度（すなわち、下方における巻き込み量）は、通気部１４が形成されていない部分（図２Ａ，２Ｂ）に比べ、通気部１４が形成された部分（図２Ｃ，２Ｄ）では、小さくなっている。
【００３４】
カール部１３の通気部１４が形成されていない部分では、脱気缶１の脱気工程の際に、缶体１０に対して缶蓋１１が上方に移動して（図２Ａの状態から図２Ｂの状態に変化して）、缶蓋１１のカール部１３の先端部１３ａが、缶体１０のフランジ部１２に当接する。
【００３５】
一方、通気部１４では、脱気缶１の脱気工程の際に、缶体１０に対して缶蓋１１が上方に移動して（図２Ｃの状態から図２Ｄの状態に変化して）、通気部１４が形成された領域以外の領域で缶蓋１１のカール部１３の先端部１３ａが缶体１０のフランジ部１２に当接したときに、缶体１０のフランジ部１２と缶蓋１１の外周端部（すなわち、カール部１３の先端部１３ａ）との間に間隙を形成して、缶体１０の内部と外部とを通気自在にする。
【００３６】
図３に示すように、脱気缶１では、通気部１４は、３つ設けられており、隣接する通気部１４同士の間隔が等しくなる（１２０°間隔となる）ように設けられている。
【００３７】
そのため、本実施形態の脱気缶１は、脱気する際に脱気缶１が傾く等の理由から内容物が偏ってしまい一つの通気部１４に詰まりが生じてしまったとしても、他の通気部１４から脱気を行うことができるので、脱気性能を安定させることができるようになっている。
【００３８】
なお、通気部１４の数は、必ずしも３つに限定されるものではなく、２つ又は４つ以上であっても構わない。ただし、脱気性能を確保するためには３つ以上とすることが好ましい。また、通気部１４同士の間隔も、必ずしも等間隔とする必要はなく、缶体の形状等に応じて適宜形成位置を変更してもよい。
【００３９】
通気部１４は、フランジ部１２の下方における巻き込み量を、カール部１３のうちの通気部１４以外の部分における、下方における巻き込み量よりも小さくして形成された直線部１４ａと、直線部１４ａの両側に形成され、直線部１４ａに近づくほどその巻き込み量が小さくなる一対の傾斜部１４ｂとを有している。カール部１３の周方向における直線部１４ａの長さは、傾斜部１４ｂの一方の長さよりも長い。
【００４０】
通気部１４の大きさは、直径９０ｍｍ程度の缶体の場合には、一方の傾斜部１４ｂの直線部１４ａとは離れた側の端部から、他方の傾斜部１４ｂの直線部１４ａとは離れた側の端部までの長さが１５ｍｍ程度となるように構成されている。すなわち、本実施形態の脱気缶１の通気部１４は、従来の脱気缶の通気部の大きさ（３ｍｍ〜５ｍｍ程度）に比べ、非常に大きく形成されている。
【００４１】
これは、本実施形態の脱気缶１では、フランジ部１２の上方及び側方において、カール部１３に対して、通気部１４の形成されている部分も含めて全周に亘って均一に巻き込みを行っているためである。そのような巻き込みを行うことによって、脱気缶１は、通気部１４の形状を一対の傾斜部１４ｂの間に直線部１４ａを設けた周方向に長い形状としても、十分に缶蓋と缶体とを固定することができるようになっている。
【００４２】
脱気缶１は、上端部にフランジ部１２を有する有底筒状の缶体１０に、缶蓋１１を被冠した後、缶体１０への被冠状態を維持した缶蓋１１の外周端部を、後述するクリンチャーセグメント２に沿って圧接転動して仮止めを行うことによって形成される。
【００４３】
そこで、以下においては、図４〜図７を参照して、脱気缶１を形成するクリンチャーセグメント２及びそれを用いた製造方法について説明する。
【００４４】
まず、図４〜図６を参照して、クリンチャーセグメント２の形状について説明する。
【００４５】
図４に示すように、脱気缶１を形成する際に用いられるクリンチャーセグメント２は、弧状をしている。なお、本発明におけるクリンチャーセグメントは、本実施形態のクリンチャーセグメント２のように、同心円の一部からなる円弧状が装置的に好適であるが、そのような円弧状に限られず、缶体を圧接転動し得る溝の形成可能な形状であれば他の形状であってもよい。
【００４６】
クリンチャーセグメント２の内周側の側面には、カール部１３を形成するための５つのカール部形成溝２０（図４では最も手前側の１つが不図示。図５参照。）と、各カール部形成溝２０の間に設けられた４つの通気部形成溝２１（図４では最も手前側の１つが不図示。図５参照。）と、両端部に設けられた２つのテーパ状の案内溝２２とを有している。
【００４７】
また、クリンチャーセグメント２の周方向の長さは、図５に示すように、缶体１０及び缶蓋１１が約１．３〜１．５回転した際に、その缶蓋１１の外周端部の全周に亘って圧接可能な長さに形成されている(図５参照)。
【００４８】
そのため、クリンチャーセグメント２の１つ目〜３つ目の通気部形成溝２１では、脱気缶１に設けられた３つの通気部１４が形成される。クリンチャーセグメント２の４つ目の通気部形成溝２１には、１つ目の通気部形成溝２１によって形成された通気部１４が再度当接する。
【００４９】
カール部形成溝２０は、脱気缶１のカール部１３に対応する凹部として形成されている。そのため、缶蓋１１の外周端部のうち、カール部形成溝２０に圧接された部分には、断面略円弧形状のカール部１３が形成される（図２Ａ，Ｂ参照。）。
【００５０】
通気部形成溝２１は、図６に示すように、通気部１４の直線部１４ａに対応する凹部である直線部形成溝２１ａ、及び、直線部形成溝２１ａとカール部形成溝２０との間に設けられ、通気部１４の傾斜部１４ｂに対応する凹部である傾斜部形成溝２１ｂを有している。なお、「直線部」とは、脱気缶１が当接する側から見て直線となる部分という意味である。そのため、本実施形態における直線部１４ａは、平面視においては、カール部形成溝２０と同じ曲率の弧状となっている。
【００５１】
直線部形成溝２１ａ及び傾斜部形成溝２１ｂの周方向の深さ（図５において径方向の深さ。すなわち、フランジ部１２の側方における長さ。）は、カール部形成溝２０の深さと一致するように形成されている。
【００５２】
また、直線部形成溝２１ａ及び傾斜部形成溝２１ｂの上側の面（図６において図面上方側の面。すなわち、フランジ部１２の上方における面。）は、カール部形成溝２０の上側の面と一致するように形成されている。
【００５３】
そのため、缶蓋１１の外周端部のうち、直線部形成溝２１ａと傾斜部形成溝２１ｂとに圧接された部分では、フランジ部１２の上方及び側方における巻き込み量は、カール部形成溝２０によってカール部１３の形成された部分と同一となる。
【００５４】
一方、直線部形成溝２１ａの下側の面（図６において図面下方側の面。すなわち、フランジ部１２の下方における面。）は、カール部形成溝２０の下側の面よりも下方となるように形成されている。傾斜部形成溝２１ｂの下側の面は、カール部形成溝２０の下側の面から直線部形成溝２１ａの下側の面に向かって徐々に傾斜するように形成されている。
【００５５】
そのため、缶蓋１１の外周端部のうち、直線部形成溝２１ａと傾斜部形成溝２１ｂとに圧接された部分では、フランジ部１２の下方における巻き込み量は、カール部形成溝２０によってカール部１３の形成された部分よりも小さくなる。その結果、その部分に、直線部１４ａと傾斜部１４ｂとを備えた断面略円弧状の通気部１４が形成される（図２Ｃ，Ｄ参照。）。
【００５６】
次に、図５及び図７を参照して、脱気缶１の形成工程（すなわち、缶体１０に対する缶蓋１１の仮止め工程）について説明する。なお、図７においては、理解を容易にするために、溝（空間）であるカール部形成溝２０、通気部形成溝２１の直線部形成溝２１ａ及び傾斜部形成溝２１ｂについては、それらの溝を形成する壁面のうち、下側の面から引き出し線を描いている。
【００５７】
脱気缶１を製造する場合には、まず、缶体１０に缶蓋１１を被冠させる（被冠工程）。次に、缶体１０のフランジ部１２及び缶蓋１１の外周端部をクリンチャーセグメント２の案内溝２２に沿って案内させる（図７Ａ参照）。その後、缶体１０及び缶蓋１１をクリンチャーセグメント２の内周面に沿って圧接転動させると（図５参照）、脱気缶１が形成される（仮止め工程）。
【００５８】
この工程を経ることにより、缶蓋１１の外周端部のうち、カール部形成溝２０に圧接された部分では、図７Ｂに示すように、フランジ部１２の上方、側方及び下方において、所定の量の巻き込みが行われる。その結果、その部分に、カール部１３が形成される。
【００５９】
また、缶蓋１１の外周端部のうち、通気部形成溝２１に圧接された部分では、図７Ｃに示すように、フランジ部１２の上方及び側方において、他の部分と同様に所定の量の巻き込みが行われ、フランジ部１２の下方において、他の部分よりも少ない量の巻き込みが行われる。その結果、カール部１３の下方に、通気部１４が形成される。
【００６０】
上記説明した脱気缶１では、フランジ部１２の上方及び側方において、カール部１３に対して、通気部１４の形成されている部分も含めて全周に亘って巻き込みを行っている。すなわち、缶体１０に対する缶蓋１１の仮止め工程の段階で、通気部１４の形成された領域においてもある程度の巻き込みを行っている。その結果として、最終的な巻き込みを行った際にも、通気部１４における巻き込み量と通気部１４以外の領域における巻き込み量が、従来の脱気缶１よりも近い量となる。
【００６１】
そのため、脱気缶１によれば、通気部１４から缶体１０内部の空気が吸引されて脱気された状態で最終的な巻き締めを行った際にも、通気部１４が形成されていた領域に痕跡が残りにくく、所望の寸法が得やすく、外観が損なわれにくい。
【００６２】
以上、図示の実施形態について説明したが、本発明はこのような形態に限られるものではない。
【００６３】
例えば、上記実施形態においては、通気部１４を、直線部１４ａと一対の傾斜部１４ｂとで構成している。また、カール部１３の周方向における直線部１４ａの長さは、傾斜部１４ｂの一方の長さよりも長くなるように構成されている。しかし、本発明の通気部としては、直線部と傾斜部とを一体的に緩やかなカーブを描く形状としてもよいし、傾斜部を直線部よりも長く形成してもよい。
【００６４】
また、上記実施形態においては、カール部１３を、フランジ部１２の上方及び側方における巻き込み量を全周に亘って均一としているが、必ずしも巻き込み量を均一にしなくてもよい。
【００６５】
また、上記実施形態においては、通気部１４の直線部１４ａをわずかに巻き込んだ形状としているが、直線部における巻き込み量を０としてもよい。
【００６６】
また、上記実施形態においては、脱気缶１を製造するための方法として、クリンチャーセグメント２を用いた製造方法を説明した。しかし、本発明の脱気缶及び脱気缶製造方法はそのような製造方法に限定されるものではなく、カール部の下方に設けられた直線部及び傾斜部を有する通気部を形成できるものであればよい。例えば、上記実施形態で図示したクリンチャーセグメントとは異なる形状のクリンチャーセグメントを用いてもよい。
【符号の説明】
【００６７】
１…脱気缶、２，１００…クリンチャーセグメント、１０…缶体、１１…缶蓋、１２…フランジ部、１３…カール部、１３ａ…先端部、１４…通気部、１４ａ…直線部、１４ｂ…傾斜部、２０，１０１…カール部形成溝、２１…通気部形成溝、２１ａ…直線部形成溝、２１ｂ…傾斜部形成溝、２２…案内溝、１０２…切欠き部。
【図１】
0006585424.tif 000002
【図２】
0006585424.tif 000003
【図３】
0006585424.tif 000004
【図４】
0006585424.tif 000005
【図５】
0006585424.tif 000006
【図６】
0006585424.tif 000007
【図７】
0006585424.tif 000008
【図８】
0006585424.tif 000009